(57)【要約】      （修正有）【課題】冷却ユニットを利用して給水ユニットの外周側を直接的に被覆して接触することにより、給水ユニット内の飲用水を直接的に冷却を行うことができ、熱交換の効率を増やすことができる冷水給水機。【解決手段】ケーシング１には載置タンク１１と収容空間１３が形成され、載置タンクはケーシングの一方に設けられて給水ユニット８を収容するのに用いられる。冷却循環ユニット２には循環管路２１が含まれ、循環管路は載置タンクの内に分布し結合され、冷却循環ユニット２は給水ユニット８の外周側を直接的に被覆する。冷却ユニット３にはコンプレッサー３１と凝結器３２が形成され、コンプレッサーは凝結器３２に連接され、さらにコンプレッサーは循環管路の一端が連接するのに用いられ、凝結器３２は循環管路のもう一端が連接するのに用いられるように構成されている。【選択図】図１
0003141562.tif 000002
【実用新案登録請求の範囲】
【請求項１】
ケーシング（１）、冷却循環ユニット（２）および冷却ユニット（３）が含まれる冷水給水機であって、ケーシング（１）には載置タンク（１１）と収容空間（１３）が形成され、載置タンク（１１）はケーシング（１）の一方に設けられ、載置タンク（１１）は給水ユニット（８）を収容するのに用いられ、冷却循環ユニット（２）には循環管路（２１）が含まれ、循環管路（２１）は載置タンク（１１）の内に分布し結合され、冷却循環ユニット（２）は給水ユニット（８）の外周側を直接的に被覆し、冷却ユニット（３）にはコンプレッサー（３１）と凝結器（３２）が形成され、コンプレッサー（３１）と凝結器（３２）はケーシング（１）の収容空間（１３）の内に設置され、コンプレッサー（３１）は凝結器（３２）に連接され、さらにコンプレッサー（３１）は循環管路（２１）の一端が連接するのに用いられ、凝結器（３２）は循環管路（２１）のもう一端が連接するのに用いられることを特徴とする冷水給水機。
【請求項２】
載置タンク（１１）には他に一個のタンク底（１１２）と両側のタンク周壁（１１３）が形成され、タンク底（１１２）と両側のタンク周壁（１１３）はＵ字形のタンクを構成するように形成されることを特徴とする請求項１記載の冷水給水機。
【請求項３】
冷却循環ユニット（２）の循環管路（２１）は載置タンク（１１）のタンク底（１１２）と両側のタンク周壁（１１３）に分布し結合されることを特徴とする請求項２記載の冷水給水機。
【請求項４】
冷却循環ユニット（２）には他に被覆層（２２）が形成され、被覆層（２２）は循環管路（２１）を被覆するのに用いられることを特徴とする請求項１、２または３記載の冷水給水機。
【請求項５】
被覆層（２２）は給水ユニット（８）の大部分の外周側を被覆し接触するのに用いられることを特徴とする請求項４記載の冷水給水機。
【請求項６】
ケーシング（１）には他に開閉式蓋板（１２）が形成され、開閉式蓋板（１２）は開閉自在に載置タンク（１１）の開口部（１１１）を蓋するのに用いられることを特徴とする請求項１記載の冷水給水機。
【請求項７】
他に貯液タンク（４）が設けられ、貯液タンク（４）に連接管（４１）が設けられ、連接管（４１）は載置タンク（１１）と連通するのに用いられることを特徴とする請求項１記載の冷水給水機。
【考案の詳細な説明】
【技術分野】
【０００１】
本考案は、給水機に関するもので、特に飲用水を冷却するのに用いられる冷水給水機に係るものである。
【背景技術】
【０００２】
従来の給水機の構造としては、中華民国新型公告第Ｍ３０５３２２号「給水機」においては、冷熱交換タンクおよび冷却装置が含まれる。前記冷熱交換タンクには少なくとも一個の進水口と少なくとも一個の排水口が含まれ、前記冷却装置には氷水タンクが含まれ、前記氷水タンクには排水口と進水口が設けられることにより、それぞれ前記冷熱交換タンクの進水口と排水口と連接するように形成される。これにより、前記冷却装置の内の飲用水は前記冷熱交換タンクを経て循環を行うことにより、飲用水を冷却することができるようにとしたものがある（例えば、特許文献１を参照）。
【０００３】
また、従来の冷水給水機の構造としては、図４に示すように冷水給水機９には給水ユニット９２を収容するための空間が設けられ、給水ユニット９２は取替え可能な貯水タンクからなるため、水垢が生じた時、給水ユニット９２を取り替えることにより、飲用水の品質を確保することができると共に、洗浄作業の複雑性を簡単にすることができる。冷水給水機９にはケーシング９１、給水ユニット９２、冷却器９３、循環ファン９４およびコンプレッサー９５が含まれる。ケーシング９１には上蓋９１１、第一区切り部材９１２と第二区切り部材９１３が形成される。上蓋９１１と第一区切り部材９１２との間には第一収容空間９１４が形成され、そして第一区切り部材９１２と第二区切り部材９１３との間には第二収容空間９１５が形成され、さらに第二区切り部材９１３とケーシング９１の底部との間には他に第三収容空間９１６が設けられ、その中に第一収容空間９１４と第二収容空間９１５は部分的に互いに連通するように形成される。給水ユニット９２は第一収容空間９１４の内に収容され、冷却器９３と循環ファン９４は第二収容空間９１５の内に収容され、コンプレッサー９５は第三収容空間９１６の内に収容され、そして冷却器９３とコンプレッサー９５は互いに連通するように形成される。熱交換処理を行う時、コンプレッサー９５は冷却器９３が作動するよう駆動することにより、冷たい空気を生じさせ、そして循環ファン９４による送風の作用を経由して第二収容空間９１５の内の冷たい空氣と第一収容空間９１４の内の空気を互いに交換させることにより、給水ユニット９２の内の飲用水を冷却することができるようにとしたものがある。
【特許文献１】中華民国新型公告第Ｍ３０５３２２号
【考案の開示】
【考案が解決しようとする課題】
【０００４】
上記のような従来の給水機の構造においては、一般として下記の問題点を有している。例えば、前記飲用水は前記氷水タンクの内に貯蔵されることにより、長期的に前記給水機を使用した後、前記氷水タンクの内には水垢が溜まり易いため、飲用水の品質が悪くなるという問題点を有しており、さらに水垢が生じた時、前記給水機全体を洗浄しなければならないため、洗浄作業の複雑性が増えてしまうという問題点を有している。
【０００５】
また、上記のような従来の冷水給水機の構造においては、一般として下記の問題点を有している。例えば、給水ユニット９２と冷却器９３はそれぞれ第一収容空間９１４と第二収容空間９１５の内に収容し設置されることにより、飲用水の冷却循環を行う時、冷却器９３は間接的に給水ユニット９２に対して冷却の作業を行うため、熱交換の効率が低くなるという問題点を有している。このように、上記のような従来の冷水給水機の構造をさらに改良しなければならない。
【０００６】
本考案の第一な目的は、冷却ユニットを利用して給水ユニットの外周側を直接的に被覆して接触することにより、前記給水ユニットの内の飲用水に対して直接的に冷却を行うことができるため、熱交換の効率を増やすことができる冷水給水機を提供しようとするものである。
【課題を解決するための手段】
【０００７】
上記目的を達成するために、本考案による冷水給水機は、下記のようになるものである。すなわち、
ケーシング、冷却循環ユニットおよび冷却ユニットが含まれる。ケーシングには載置タンクと収容空間が形成され、載置タンクはケーシングの一方に設けられ、載置タンクは給水ユニットを収容するのに用いられる。冷却循環ユニットには循環管路が含まれ、循環管路は載置タンクの内に分布し結合され、冷却循環ユニットは給水ユニットの外周側を直接的に被覆する。冷却ユニットにはコンプレッサーと凝結器が形成され、コンプレッサーと凝結器はケーシングの収容空間の内に設置され、コンプレッサーは凝結器に連接され、さらにコンプレッサーは循環管路の一端が連接するのに用いられ、凝結器は循環管路のもう一端が連接するのに用いられる。
【０００８】
本考案による冷水給水機は、載置タンクには他に一個のタンク底と両側のタンク周壁が形成され、タンク底と両側のタンク周壁はＵ字形のタンクを構成するように形成されることもできる。また、冷却循環ユニットの循環管路は載置タンクのタンク底と両側のタンク周壁に分布し結合されることもできる。また、冷却循環ユニットには他に被覆層が形成され、被覆層は循環管路を被覆するのに用いられることもできる。また、被覆層は給水ユニットの大部分の外周側を被覆し接触するのに用いられることもできる。また、ケーシングには他に開閉式蓋板が形成され、開閉式蓋板は開閉自在に載置タンクの開口部を蓋するのに用いられることもできる。また、他に貯液タンクが設けられ、貯液タンクに連接管が設けられ、連接管は載置タンクと連通するのに用いられることもできる。
【考案の効果】
【０００９】
本考案の冷水給水機によれば、冷却ユニットを利用して給水ユニットの外周側を直接的に被覆して接触することにより、前記給水ユニットの内の飲用水に対して直接的に冷却を行うことができるため、熱交換の効率を増やすことができるという利点がある。
【考案を実施するための最良の形態】
【００１０】
本考案の実施の形態について、以下、図面を参照して説明する。
【００１１】
図１、２を参照すると、本考案の実施例の冷水給水機にはケーシング１、冷却循環ユニット２、冷却ユニット３および貯液タンク４が含まれる。ケーシング１の内に冷却循環ユニット２と冷却ユニット３を収容することができる。
【００１２】
ケーシング１には載置タンク１１、開閉式蓋板１２と収容空間１３が形成される。載置タンク１１はケーシング１の一方に設けられ、載置タンク１１には開口部１１１、タンク底１１２と両側のタンク周壁１１３が形成され、そして図３に示すように、断面からみると載置タンク１１はタンク底１１２と両側の周壁１１３によりＵ字形のタンクを構成する。開閉式蓋板１２は開閉自在に載置タンク１１の開口部１１１を蓋することができる。
【００１３】
本考案の冷却循環ユニット２には循環管路２１と被覆層２２が含まれる。冷却循環ユニット２の循環管路２１は好ましくは載置タンク１１のタンク底１１２と両側のタンク周壁１１３に分布し結合される。その中に、循環管路２１は迂回するような形状に形成されることにより、熱交換の面積を増やすことができるため、冷却の効率を高めることができる。また、被覆層２２は好ましくは導熱の材質からなり、例えば金属の板材からなる。さらに、図３に示すように、被覆層２２は循環管路２１を被覆するのに用いられることができる。
【００１４】
本考案の冷却ユニット３にはコンプレッサー３１と凝結器３２が形成される。冷却ユニット３のコンプレッサー３１と凝結器３２は共同でケーシング１の収容空間１３の内に収容され、コンプレッサー３１は凝結器３２に連接され、そして循環管路２１の両端は載置タンク１１を貫穿してそれぞれコンプレッサー３１と凝結器３２に連接される。これにより、冷却剤を利用してコンプレッサー３１、凝結器３２と循環管路２１の内において循環を行うことができる。
【００１５】
また、本考案の冷水給水機の貯液タンク４はケーシング１の底部に設置され、貯液タンク４には連接管４１が設けられ、連接管４１は載置タンク１１と連通するのに用いられる。これにより、前記冷却剤が循環管路２１において熱交換を行う時、循環管路２１から生じる水分は連接管４１を経由して貯液タンク４の内に流入することができる。
【００１６】
本考案の冷水給水機は飲用水を冷却するのに用いられるため、その中に給水ユニット８を利用して前記飲用水を供給することができる。給水ユニット８はケーシング１の載置タンク１１の内に収容されるため、冷却循環ユニット２は直接的に給水ユニット８の大部分の外周側を被覆することができる。これにより、循環管路２１と冷却ユニット３による冷却循環の作業を利用し、飲用水の冷却を行うことができる。さらに詳しく言えば、前記冷却剤は冷却ユニット３のコンプレッサー３１と凝結器３２を経由して降温を行うことにより、低温の冷却剤を形成することができ、そして循環管路２１まで輸送される。この時、循環管路２１で流れる前記低温の冷却剤は給水ユニット８の内の飲用水に対して直接的に熱交換の作業を行うことができる。それから、前記飲用水と熱交換を行った前記冷却剤は再び循環管路２１に沿って冷却ユニット３の内に回流することができるため、再び冷却剤の降温を行うことができる。
【００１７】
図３を参照すると、冷却循環ユニット２は好ましくは被覆層２２を利用して給水ユニット８の大部分の外周側を被覆し接触することにより、前記低温の冷却剤が循環管路２１を流通する時、前記低温の冷却剤から生じる低温の温度は被覆層２２に均一に分布することができるため、給水ユニット８の内の飲用水は均一した冷却の効果を獲得することができる。
【産業上の利用可能性】
【００１８】
上述の如く、従来の給水機によれば、飲用水は氷水タンクの内に貯蔵されることにより、長期的に給水機を使用した後、氷水タンクの内には水垢が溜まり易いため、飲用水の品質が悪くなるという問題点があり、また、図４に示す従来の冷水給水機によれば、冷水給水機９の給水ユニット９２と冷却器９３はそれぞれ第一収容空間９１４と第二収容空間９１５の内に収容し設置されることにより、飲用水の冷却循環を行う時、冷却器９３は間接的に給水ユニット９２に対して冷却の作業を行うため、熱交換の効率が低くなるという問題点があったが、図１に示す本考案の冷水給水機によれば、冷却循環ユニット２は給水ユニット８の大部分の外周側を直接的に被覆することにより、飲用水の冷却の作業を行うことができるため、確実に熱交換の効率を高めることができる。
【００１９】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２０】
【図１】本考案の実施例の冷水給水機を示す分解斜視図である。
【図２】本考案の実施例の冷水給水機による組み立てられた状態を示す側面図である。
【図３】本考案の実施例の冷水給水機による組み立てられた状態を示す断面図である。
【図４】従来の冷水給水機の説明図である。
【符号の説明】
【００２１】
１    ケーシング                    １１    載置タンク
１１１    開口部                      １１２    タンク底
１１３    タンク周壁                    １２    開閉式蓋板
１３    収容空間                        ２    冷却循環ユニット
２１    循環管路                      ２２    被覆層
３    冷却ユニット                  ３１    コンプレッサー
３２    凝結器                          ４    貯液タンク
４１    連接管                          ８    給水ユニット
９    冷水給水機                    ９１    ケーシング
９１１    上蓋                        ９１２    第一区切り部材
９１３    第二区切り部材              ９１４    第一収容空間
９１５    第二収容空間                ９１６    第三収容空間
９２    給水ユニット                  ９３    冷却器
９４    循環ファン                    ９５    コンプレッサー
【図１】
0003141562.tif 000003
【図２】
0003141562.tif 000004
【図３】
0003141562.tif 000005
【図４】
0003141562.tif 000006